(57)【特許請求の範囲】
【請求項１】
テレビジョン装置内部に設けられるテレビジョンチューナ部と、当該テレビジョン装置とは別体に設けられるアンテナスイッチからなるチューナ装置において、
上記アンテナスイッチは、
地上波テレビジョン放送信号が入力される第１の入力端子と、
ケーブルテレビジョン放送信号が入力される第２の入力端子と、
上記地上波テレビジョン放送信号及び上記ケーブルテレビジョン放送信号が出力される出力端子と、
上記テレビジョンチューナ部から供給されるスイッチ切替信号に応じて、上記第１の入力端子と上記出力端子との接続、又は上記第２の入力端子と上記出力端子との接続を切り替える信号切替スイッチと、
上記第１の入力端子と上記信号切替スイッチとの間に設けられた上記地上波テレビジョン放送信号を増幅する増幅器と、
上記第２の入力端子と上記信号切替スイッチとの間に設けられた上記ケーブルテレビジョン放送信号を減衰する減衰器と
を具え、
上記テレビジョンチューナ部は、
上記地上波テレビジョン放送信号及び上記ケーブルテレビジョン放送信号が上記アンテナスイッチから入力される１つの入力端子を有し、選局されるチャンネルに応じて異なる所定周波数帯域をそれぞれ透過させる複数のフィルタのいずれかに上記地上波テレビジョン放送信号及び上記ケーブルテレビジョン放送信号を入力し、上記チャンネルに対応する周波数帯域だけ通過させて増幅するテレビジョンチューナと、
上記アンテナスイッチの上記信号切替スイッチへ上記スイッチ切替信号を供給する制御部と、
上記テレビジョンチューナから供給される上記地上波テレビジョン放送信号及び上記ケーブルテレビジョン放送信号を復調すると共に、上記テレビジョンチューナから供給される上記地上波テレビジョン放送信号及び上記ケーブルテレビジョン放送信号の信号レベルを一定にするためのゲイン信号を上記テレビジョンチューナ及び上記アンテナスイッチに出力する復調部と
を具え、
上記増幅器は、
第１抵抗と、
第２抵抗と、
上記第１抵抗を介して上記復調部から上記ゲイン信号が入力される第１ゲートと、上記第１の入力端子を介して上記地上波テレビジョン放送信号が入力される第２ゲートと、所定の電源から一定電圧が上記第２抵抗を介して印可されると共に信号切替スイッチに接続されるドメインと、接地されたソースとからなるデュアルゲート電界効果トランジスタと
を具えることを特徴とするチューナ装置。
【請求項２】
上記減衰器は、
カソードに対して上記第２の入力端子及び第１コンデンサを介して上記ケーブルテレビジョン放送信号が入力されると共に所定の電源から一定電圧が印可され、アノードに第２コンデンサを介して上記信号切替スイッチに接続されるＰＩＮダイオードと、
一端が上記ＰＩＮダイオードのカソードと上記第１コンデンサとの間に接続され、他端が接地された第３抵抗と、
一端が上記ＰＩＮダイオードのアノードと上記第２コンデンサとの間に接続され、他端に復調部から上記ゲイン信号が入力される第４抵抗と
を具える請求項１に記載のチューナ装置。
【請求項３】
テレビジョン装置内部に設けられるテレビジョンチューナ部と、当該テレビジョン装置とは別体に設けられるアンテナスイッチからなるチューナ装置において、
上記アンテナスイッチは、
地上波テレビジョン放送信号が入力される第１の入力端子と、
ケーブルテレビジョン放送信号が入力される第２の入力端子と、
上記地上波テレビジョン放送信号及び上記ケーブルテレビジョン放送信号が出力される出力端子と、
上記テレビジョンチューナ部から供給されるスイッチ切替信号に応じて、上記第１の入力端子と上記出力端子との接続、又は上記第２の入力端子と上記出力端子との接続を切り替える信号切替スイッチと、
上記第１の入力端子と上記信号切替スイッチとの間に設けられた上記地上波テレビジョン放送信号を増幅する増幅器と、
上記第２の入力端子と上記信号切替スイッチとの間に設けられた上記ケーブルテレビジョン放送信号を減衰する減衰器と
を具え、
上記テレビジョンチューナ部は、
上記地上波テレビジョン放送信号及び上記ケーブルテレビジョン放送信号が上記アンテナスイッチから入力される１つの入力端子を有し、選局されるチャンネルに応じて異なる所定周波数帯域をそれぞれ透過させる複数のフィルタのいずれかに上記地上波テレビジョン放送信号及び上記ケーブルテレビジョン放送信号を入力し、上記チャンネルに対応する周波数帯域だけ通過させて増幅するテレビジョンチューナと、
上記アンテナスイッチの上記信号切替スイッチへ上記スイッチ切替信号を供給する制御部と、
上記テレビジョンチューナから供給される上記地上波テレビジョン放送信号及び上記ケーブルテレビジョン放送信号を復調すると共に、上記テレビジョンチューナから供給される上記地上波テレビジョン放送信号及び上記ケーブルテレビジョン放送信号の信号レベルを一定にするためのゲイン信号を上記テレビジョンチューナ及び上記アンテナスイッチに出力する復調部と
を具え、
上記減衰器は、
カソードに対して上記第２の入力端子及び第１コンデンサを介して上記ケーブルテレビジョン放送信号が入力されると共に所定の電源から一定電圧が印可され、アノードに第２コンデンサを介して上記信号切替スイッチに接続されるＰＩＮダイオードと、
一端が上記ＰＩＮダイオードのカソードと上記第１コンデンサとの間に接続され、他端が接地された第１抵抗と、
一端が上記ＰＩＮダイオードのアノードと上記第２コンデンサとの間に接続され、他端に復調部から上記ゲイン信号が入力される第２抵抗と
を具えることを特徴とするチューナ装置。
【発明の詳細な説明】
【技術分野】
【０００１】
本発明は、チューナ装置に関し、例えば地上波テレビジョン放送信号及びケーブルテレビジョン放送信号をテレビジョン受像機のチューナへ供給する場合に適用して好適なものである。
【背景技術】
【０００２】
従来、可変利得回路においては、１つの入力端子と１つの出力端子の間に、低ノイズの増幅器（以下、これをアンプと呼ぶ。）及び低歪の減衰器（以下、これをアッテネータと呼ぶ。）が並列に設けられており、入力端子を介して入力した信号の入力レベルに応じて当該アンプへの供給をオン又はオフするものがある（例えば、特許文献１参照）。
【０００３】
この可変利得回路を用いたアンテナスイッチは、テレビジョン受像機のチューナへ例えば入力レベルの低い地上波テレビジョン放送信号を供給する場合、低ノイズのアンプによって地上波テレビジョン放送信号を所定のレベルまで増幅することにより、低ノイズの地上波テレビジョン放送信号をチューナへ供給することができる。
【０００４】
また、アンテナスイッチは、入力レベルの高いケーブルテレビジョン放送信号をチューナへ供給する場合、低歪のアッテネータによってケーブルテレビジョン放送信号を減衰することにより、低歪のケーブルテレビジョン放送信号をチューナへ供給することができる。
【特許文献１】特開2005-217887公報
【発明の開示】
【発明が解決しようとする課題】
【０００５】
ところでかかる構成のアンテナスイッチにおいては、入力端子が１つしかないために地上波テレビジョン放送信号及びケーブルテレビジョン放送信号の何れか一方へ接続先を切り替えなければならない事態が発生し得、使い勝手が悪いという問題があった。
【０００６】
本発明は以上の点を考慮してなされたもので、切り替え操作の不要な、使い勝手を向上し得るチューナ装置を提案しようとするものである。
【課題を解決するための手段】
【０００７】
かかる課題を解決するため本発明のチューナ装置は、テレビジョン装置内部に設けられるテレビジョンチューナ部と、当該テレビジョン装置とは別体に設けられるアンテナスイッチからなるチューナ装置において、アンテナスイッチは、地上波テレビジョン放送信号が入力される第１の入力端子と、ケーブルテレビジョン放送信号が入力される第２の入力端子と、地上波テレビジョン放送信号及びケーブルテレビジョン放送信号が出力される出力端子と、テレビジョンチューナ部から供給されるスイッチ切替信号に応じて、第１の入力端子と出力端子との接続、又は第２の入力端子と出力端子との接続を切り替える信号切替スイッチと、第１の入力端子と信号切替スイッチとの間に設けられた地上波テレビジョン放送信号を増幅する増幅器と、第２の入力端子と信号切替スイッチとの間に設けられたケーブルテレビジョン放送信号を減衰する減衰器とを具え、テレビジョンチューナ部は、地上波テレビジョン放送信号及びケーブルテレビジョン放送信号がアンテナスイッチから入力される１つの入力端子を有し、選局されるチャンネルに応じて異なる所定周波数帯域をそれぞれ透過させる複数のフィルタのいずれかに地上波テレビジョン放送信号及びケーブルテレビジョン放送信号を入力し、チャンネルに対応する周波数帯域だけ通過させて増幅するテレビジョンチューナと、アンテナスイッチの信号切替スイッチへスイッチ切替信号を供給する制御部と、テレビジョンチューナから供給される地上波テレビジョン放送信号及びケーブルテレビジョン放送信号を復調すると共に、テレビジョンチューナから供給される地上波テレビジョン放送信号及びケーブルテレビジョン放送信号の信号レベルを一定にするためのゲイン信号をテレビジョンチューナ及びアンテナスイッチに出力する復調部とを具え、増幅器は、第１抵抗と、第２抵抗と、第１抵抗を介して復調部からゲイン信号が入力される第１ゲートと、第１の入力端子を介して地上波テレビジョン放送信号が入力される第２ゲートと、所定の電源から一定電圧が上記第２抵抗を介して印可されると共に信号切替スイッチに接続されるドメインと、接地されたソースとからなるデュアルゲート電界効果トランジスタとを設けるようにした。
【０００８】
これにより、第１の入力端子から入力された地上波テレビジョン信号を増幅する際、該地上波テレビジョン信号の入力レベルにかかわらずノイズフィギュアをほとんど増やすことなく増幅することができ、またユーザに対して地上波テレビジョン放送信号又はケーブルテレビジョン放送信号のいずれを選択するか決定させるだけで、煩雑な切り替え操作を行わせることなく、入力端子が１つしかないテレビジョン装置に対して簡易な構成で、低ノイズの地上波テレビジョン放送信号、又は低歪のケーブルテレビジョン放送信号をチューナへ供給することができる。
【０００９】
また本発明のチューナ装置は、テレビジョン装置内部に設けられるテレビジョンチューナ部と、当該テレビジョン装置とは別体に設けられるアンテナスイッチからなるチューナ装置において、アンテナスイッチは、地上波テレビジョン放送信号が入力される第１の入力端子と、ケーブルテレビジョン放送信号が入力される第２の入力端子と、地上波テレビジョン放送信号及びケーブルテレビジョン放送信号が出力される出力端子と、テレビジョンチューナ部から供給されるスイッチ切替信号に応じて、第１の入力端子と出力端子との接続、又は第２の入力端子と出力端子との接続を切り替える信号切替スイッチと、第１の入力端子と信号切替スイッチとの間に設けられた地上波テレビジョン放送信号を増幅する増幅器と、第２の入力端子と信号切替スイッチとの間に設けられたケーブルテレビジョン放送信号を減衰する減衰器とを具え、テレビジョンチューナ部は、地上波テレビジョン放送信号及びケーブルテレビジョン放送信号がアンテナスイッチから入力される１つの入力端子を有し、選局されるチャンネルに応じて異なる所定周波数帯域をそれぞれ透過させる複数のフィルタのいずれかに地上波テレビジョン放送信号及びケーブルテレビジョン放送信号を入力し、チャンネルに対応する周波数帯域だけ通過させて増幅するテレビジョンチューナと、アンテナスイッチの信号切替スイッチへスイッチ切替信号を供給する制御部と、テレビジョンチューナから供給される地上波テレビジョン放送信号及びケーブルテレビジョン放送信号を復調すると共に、テレビジョンチューナから供給される地上波テレビジョン放送信号及びケーブルテレビジョン放送信号の信号レベルを一定にするためのゲイン信号をテレビジョンチューナ及びアンテナスイッチに出力する復調部とを具え、カソードに対して第２の入力端子及び第１コンデンサを介してケーブルテレビジョン放送信号が入力されると共に所定の電源から一定電圧が印可され、アノードに第２コンデンサを介して信号切替スイッチに接続されるＰＩＮダイオードと、一端がＰＩＮダイオードのカソードと第１コンデンサとの間に接続され、他端が接地された第１抵抗と、一端がＰＩＮダイオードのアノードと第２コンデンサとの間に接続され、他端に復調部からゲイン信号が入力される第２抵抗と
を設けるようにした。
【００１０】
これにより、第２の入力端子から入力されたケーブルテレビジョン信号を減衰する際、該ケーブルテレビジョン信号の入力レベルにかかわらず歪を増やすことなく減衰することができ、またユーザに対して地上波テレビジョン放送信号又はケーブルテレビジョン放送信号のいずれを選択するか決定させるだけで、煩雑な切り替え操作を行わせることなく、入力端子が１つしかないテレビジョン装置に対して簡易な構成で、低ノイズの地上波テレビジョン放送信号、又は低歪のケーブルテレビジョン放送信号をチューナへ供給することができる。
【発明の効果】
【００１１】
本発明によれば、第１の入力端子から入力された地上波テレビジョン信号を増幅する際、該地上波テレビジョン信号の入力レベルにかかわらずノイズフィギュアをほとんど増やすことなく増幅することができ、またユーザに対して地上波テレビジョン放送信号又はケーブルテレビジョン放送信号のいずれを選択するか決定させるだけで、入力端子が１つしかないテレビジョン装置に対して簡易な構成で、煩雑な切り替え操作を行わせることなく、低ノイズの地上波テレビジョン放送信号、又は低歪のケーブルテレビジョン放送信号をチューナへ供給することができるため、切り替え操作の不要な、使い勝手を向上し得るチューナ装置を実現できる。
また第２の入力端子から入力されたケーブルテレビジョン信号を減衰する際、該ケーブルテレビジョン信号の入力レベルにかかわらず歪を増やすことなく減衰することができ、またユーザに対して地上波テレビジョン放送信号又はケーブルテレビジョン放送信号のいずれを選択するか決定させるだけで、入力端子が１つしかないテレビジョン装置に対して簡易な構成で、煩雑な切り替え操作を行わせることなく、低ノイズの地上波テレビジョン放送信号、又は低歪のケーブルテレビジョン放送信号をチューナへ供給することができるため、切り替え操作の不要な、使い勝手を向上し得るチューナ装置を実現できる。
【発明を実施するための最良の形態】
【００１２】
以下に、図面について、本発明の一実施の形態を詳述する。
【００１３】
（１）チューナ装置の構成
（１−１）チューナ装置の全体構成
図１に示すように、１は全体としてチューナ装置を示し、アンテナスイッチ２及びテレビジョン放送信号受信装置３により構成されている。
【００１４】
アンテナスイッチ２は、テレビジョン放送信号受信装置３と別体に形成され、アンテナ７により受信した地上波テレビジョン放送信号を入力するための地上波テレビジョン放送信号入力端子２Ａと、ケーブルテレビジョン（以下、これをＣＡＴＶ（Community Antenna Television）と呼ぶ。）ケーブル８を介して供給されるＣＡＴＶ放送信号を入力するためのＣＡＴＶ放送信号入力端子２Ｂと、地上波テレビジョン放送信号又はＣＡＴＶ放送信号を出力するためのアンテナスイッチ出力端子２Ｃとを有している。
【００１５】
アンテナスイッチ２は、地上波テレビジョン放送信号入力端子２Ａを介して入力された地上波テレビジョン放送信号、及びＣＡＴＶ放送信号入力端子２Ｂを介して入力されたＣＡＴＶ放送信号のいずれか一方をアンテナスイッチ出力端子２Ｃを介してテレビジョン放送信号受信装置３へ出力することにより、地上波テレビジョン放送信号又はＣＡＴＶ放送信号をテレビジョン放送信号受信装置３へ供給することができる。
【００１６】
一方、テレビジョン放送信号受信装置３は、チューナ４、復調回路５及び制御回路６により構成されている。テレビジョン放送信号受信装置３のチューナ４は、既存のものであり、従来と比して何ら特別な機能は備えられていない。
【００１７】
テレビジョン放送信号受信装置３のチューナ４は、アンテナスイッチ２のアンテナスイッチ出力端子２Ｃから供給された地上波テレビジョン放送信号又はＣＡＴＶ放送信号をチューナ入力端子４Ａを介して入力する。
【００１８】
そしてチューナ４は、その地上波テレビジョン放送信号又はＣＡＴＶ放送信号を周波数変換し、その結果得られた中間周波数信号（以下、これをＩＦ（Intermediate Frequency）信号と呼ぶ。）を復調回路５へ送出する。
【００１９】
復調回路５は、チューナ４から供給されたＩＦ信号を復調することにより映像信号及び音声信号を得、その映像信号を映像表示装置（図示せず）へ送出すると共に、その音声信号を音声出力装置（図示せず）へ送出する。
【００２０】
また復調回路５は、ＩＦ信号の電圧レベルに基づいて、当該ＩＦ信号の電圧レベルが一定となるように調節するためのＡＧＣ（Auto Gain Control）信号ＧＳをアンテナスイッチ２及びチューナ４へ送出する。
【００２１】
制御回路６は、例えばユーザのリモートコントローラ（以下、これをリモコンと呼ぶ。）に対する操作に応じて、地上波テレビジョン放送又はＣＡＴＶ放送のどちらかを選択するための放送選択信号ＳＳがリモコン（図示せず）から供給されると、その放送選択信号ＳＳをアンテナスイッチ２へ送出する。
【００２２】
制御回路６は、地上波テレビジョン放送又はＣＡＴＶ放送のどちらかを選択した後、ユーザのリモコン操作により、チャンネルを選択するための選局信号ＣＳがリモコンから供給されると、その選局信号ＣＳについてもチューナ４へ送出する。
【００２３】
（１−２）チューナ装置の回路構成
次に上述したチューナ装置について、さらに詳しく説明する。図２に示すように、アンテナスイッチ２は、低ノイズＡＧＣアンプ２１、低歪アッテネータ２２及び信号切替スイッチ２３により構成されている。
【００２４】
またチューナ４は、バンド切替スイッチ４１、トラッキングフィルタ４２Ａ〜４２Ｃ、ＲＦアンプ４３Ａ〜４３Ｃ、ミキサ４４、局部発信器４５、ＰＬＬ（Phase Lock Loop）回路４６、ＩＦフィルタ４７及びＩＦアンプ４８により構成されている。
【００２５】
アンテナスイッチ２は、アンテナ７により受信した地上波テレビジョン放送信号Ｓ１が地上波テレビジョン放送信号入力端子２Ａを介して入力されると、その地上波テレビジョン放送信号Ｓ１を低ノイズＡＧＣアンプ２１へ送出する。
【００２６】
低ノイズＡＧＣアンプ２１は、その地上波テレビジョン放送信号Ｓ１を復調回路５から供給されるＡＧＣ制御信号ＧＳ１に応じて増幅し、その結果得られる地上波テレビジョン放送信号Ｓ２を信号切替スイッチ２３の入力端子２３Ａへ送出する。
【００２７】
一方、アンテナスイッチ２は、ＣＡＴＶケーブル８を介して送信されるＣＡＴＶ放送信号Ｓ１１がＣＡＴＶ放送信号入力端子２Ｂを介して入力されると、そのＣＡＴＶ放送信号Ｓ１１を低歪アッテネータ２２へ送出する。
【００２８】
低歪アッテネータ２２は、そのＣＡＴＶ放送信号Ｓ１１を復調回路５から供給されるＡＧＣ制御信号ＧＳ２に応じて減衰し、その結果得られるＣＡＴＶ放送信号Ｓ１２を信号切替スイッチ２３の入力端子２３Ｂへ送出する。
【００２９】
このときテレビジョン放送信号受信装置３の制御回路６は、地上波テレビジョン放送を選択するための放送選択信号ＳＳ１をリモコンから受信すると、その放送選択信号ＳＳ１をアンテナスイッチ２の信号切替スイッチ２３へ出力する。
【００３０】
ここで、図３に示すように、アンテナスイッチ２の信号切替スイッチ２３は、放送選択信号ＳＳ１が制御回路６から供給された場合、入力端子２３Ａと出力端子２３Ｃとを電気的に接続するようになされている。これによりアンテナスイッチ２は、信号切替スイッチ２３の入力端子２３Ａ、出力端子２３Ｃ及びアンテナスイッチ出力端子２Ｃを介して地上波テレビジョン放送信号Ｓ２をチューナ４へ送出する。
【００３１】
またテレビジョン放送信号受信装置３の制御回路６（図２）は、ＣＡＴＶ放送を選択するための放送選択信号ＳＳ２をリモコンから受信すると、当該放送選択信号ＳＳ２をアンテナスイッチ２の信号切替スイッチ２３へ送出する。
【００３２】
図４に示すように、信号切替スイッチ２３は、放送選択信号ＳＳ２が制御回路６から供給された場合、入力端子２３Ｂと出力端子２３Ｃとを電気的に接続するようになされている。これによりアンテナスイッチ２は、信号切替スイッチ２３の入力端子２３Ｂ、出力端子２３Ｃ及びアンテナスイッチ出力端子２Ｃを介してＣＡＴＶ放送信号Ｓ１２をチューナ４へ送出する。
【００３３】
これによりアンテナスイッチ２（図２）は、ユーザに対して、地上波テレビジョン放送又はＣＡＴＶ放送のどちらかをリモコン操作により選択させるだけで、その選択操作に対応する放送選択信号ＳＳ１又はＳＳ２がリモコンから制御回路６を介して信号切替スイッチ２３へ供給される。アンテナスイッチ２は、その放送選択信号ＳＳ１又はＳＳ２に応じて信号切替スイッチ２３を切り替えることにより、地上波テレビジョン放送信号Ｓ２又はＣＡＴＶ放送信号Ｓ１２をチューナ４へ供給することができる。
【００３４】
チューナ４は、アンテナスイッチ２から供給された例えば地上波テレビジョン放送信号Ｓ２がチューナ入力端子４Ａを介して入力されると、その地上波テレビジョン放送信号Ｓ２をバンド切替スイッチ４１の入力端子４１Ａへ送出する。
【００３５】
このとき制御回路６は、例えば５４ＭＨｚ〜１７０ＭＨｚのＶＨＦ（Very High Frequency）−Ｌｏｗバンド内における所望のチャンネルを選択するための選局信号ＣＳ１１がリモコンから供給されると、その選局信号ＣＳ１１をバンド切替スイッチ４１へ送出する。
【００３６】
また制御回路６は、例えば１７０ＭＨｚ〜４７０ＭＨｚのＶＨＦ−Ｈｉｇｈバンド内における所望のチャンネルを選択するための選局信号ＣＳ１２がリモコンから供給されると、その選局信号ＣＳ１２をバンド切替スイッチ４１へ送出する。
【００３７】
さらに制御回路６は、例えば４７０ＭＨｚ〜８６４ＭＨｚのＵＨＦ（Ultra High Frequency）バンド内における所望のチャンネルを選択するための選局信号ＣＳ１３がリモコンから供給されると、その選局信号ＣＳ１３をバンド切替スイッチ４１へ送出する。
【００３８】
バンド切替スイッチ４１は、制御回路６から選局信号ＣＳ１１が供給されると、入力端子４１Ａと出力端子４１Ｂとを電気的に接続する。これによりバンド切替スイッチ４１は、アンテナスイッチ２から供給された地上波テレビジョン放送信号Ｓ２をトラッキングフィルタ４２Ａへ送出する。
【００３９】
トラッキングフィルタ４２Ａは、バンド切替スイッチ４１から供給された地上波テレビジョン放送信号Ｓ２に対して、所望のチャンネルに対応する周波数帯域だけを通過させ、その通過させた地上波テレビジョン放送信号Ｓ３ＡをＡＧＣアンプ４３Ａへ送出する。
【００４０】
ＡＧＣアンプ４３Ａは、トラッキングフィルタ４２Ａから供給された地上波テレビジョン放送信号Ｓ３Ａを復調回路５から供給されるＡＧＣ制御信号ＧＳ３に応じて増幅し、その増幅した地上波テレビジョン放送信号Ｓ４Ａをミキサ４４へ送出する。
【００４１】
ミキサ４４は、ＡＧＣアンプ４３Ａから供給された地上波テレビジョン放送信号Ｓ４Ａと、局部発信器４５から供給されたローカル周波数信号ＲＳとを乗算することにより周波数変換を行い、その結果得られるＩＦ信号Ｓ５ＡをＩＦフィルタ４７へ送出する。
【００４２】
なおＰＬＬ回路４６は、制御回路６から供給される基準信号と局部発信器４５がミキサ４４へ現在供給しているローカル周波数信号ＲＳとを比較し、誤差を修正するように当該局部発信器４５を制御する。局部発信器４５は、ＰＬＬ回路４６の制御に応じたローカル周波数信号ＲＳを生成し、そのローカル周波数信号ＲＳをミキサ４４へ送出するようになされている。
【００４３】
ＩＦフィルタ４７は、ミキサ４４から供給されたＩＦ信号Ｓ５Ａに対して所定の周波数帯域だけを通過させる帯域制限を行うことにより、その通過させたＩＦ信号Ｓ６ＡをＩＦアンプ４８へ送出する。
【００４４】
ＩＦアンプ４８は、ＩＦフィルタ４７から供給されたＩＦ信号Ｓ６Ａを所定の信号レベルに増幅し、その増幅したＩＦ信号Ｓ７Ａを復調回路５へ送出する。
【００４５】
一方、バンド切替スイッチ４１は、制御回路６から選局信号ＣＳ１２が供給されると、入力端子４１Ａと出力端子４１Ｃとを電気的に接続し、アンテナスイッチ２から供給された地上波テレビジョン放送信号Ｓ２をトラッキングフィルタ４２Ｂへ送出する。
【００４６】
トラッキングフィルタ４２Ｂは、バンド切替スイッチ４１から供給された地上波テレビジョン放送信号Ｓ２に対して、所望のチャンネルに対応する周波数帯域だけを通過させ、その通過させた地上波テレビジョン放送信号Ｓ３ＢをＡＧＣアンプ４３Ｂへ送出する。
【００４７】
ＡＧＣアンプ４３Ｂは、トラッキングフィルタ４２Ｂから供給された地上波テレビジョン放送信号Ｓ３Ｂを復調回路５から供給されるＡＧＣ制御信号ＧＳ４に応じて増幅し、その増幅した地上波テレビジョン放送信号Ｓ４Ｂをミキサ４４へ送出する。
【００４８】
その後、ミキサ４４、ＩＦフィルタ４７及びＩＦアンプ４８は、上述した地上波テレビジョン放送信号Ｓ４Ａに対する処理と同様に、ミキサ４４が、ＲＦアンプ４３Ｂから供給された地上波テレビジョン放送信号Ｓ４Ｂと、局部発信器４５から供給されるローカル周波数信号ＲＳとを乗算することにより周波数変換を行い、その結果得られるＩＦ信号Ｓ５ＢをＩＦフィルタ４７へ送出する。
【００４９】
ＩＦフィルタ４７は、ミキサ４４から供給されたＩＦ信号Ｓ５Ｂに対して所定の周波数帯域だけを通過させる帯域制限を行うことにより、その通過させたＩＦ信号Ｓ６ＢをＩＦアンプ４８へ送出する。ＩＦアンプ４８は、ＩＦ信号Ｓ６Ｂを増幅し、その結果得られたＩＦ信号Ｓ７Ｂを復調回路５へ送出する。
【００５０】
さらにバンド切替スイッチ４１は、制御回路６から選局信号ＣＳ１３が供給されると、入力端子４１Ａと出力端子４１Ｄとを電気的に接続し、アンテナスイッチ２から供給された地上波テレビジョン放送信号Ｓ２をトラッキングフィルタ４２Ｃへ送出する。
【００５１】
トラッキングフィルタ４２Ｃは、バンド切替スイッチ４１から供給された地上波テレビジョン放送信号Ｓ２に対して、所望のチャンネルに対応する周波数帯域だけを通過させ、その通過させた地上波テレビジョン放送信号Ｓ３ＣをＡＧＣアンプ４３Ｃへ送出する。
【００５２】
ＡＧＣアンプ４３Ｃは、トラッキングフィルタ４２Ｃから供給された地上波テレビジョン放送信号Ｓ３Ｃを復調回路５から供給されるＡＧＣ制御信号ＧＳ５に応じて増幅し、その増幅した地上波テレビジョン放送信号Ｓ４Ｃをミキサ４４へ送出する。
【００５３】
その後、ミキサ４４、ＩＦフィルタ４７及びＩＦアンプ４８は、上述した地上波テレビジョン放送信号Ｓ４Ｂに対する処理と同様に、ミキサ４４が、ＲＦアンプ４３Ｃから供給された地上波テレビジョン放送信号Ｓ４Ｃと、局部発信器４５から供給されるローカル周波数信号ＲＳとを乗算することにより周波数変換を行い、その結果得られるＩＦ信号Ｓ５ＣをＩＦフィルタ４７へ送出する。
【００５４】
ＩＦフィルタ４７は、ミキサ４４から供給されたＩＦ信号Ｓ５Ｃに対して所定の周波数帯域だけを通過させる帯域制限を行うことにより、その通過させたＩＦ信号Ｓ６ＣをＩＦアンプ４８へ送出する。ＩＦアンプ４８は、ＩＦ信号Ｓ６Ｃを増幅し、その結果得られたＩＦ信号Ｓ７Ｃを復調回路５へ送出する。
【００５５】
このようにしてチューナ４は、ユーザのリモコン操作により、地上波テレビジョン放送の所望のチャンネルを選択させるだけで、その所望のチャンネルのＩＦ信号Ｓ７Ａ、Ｓ７Ｂ又はＳ７Ｃを復調回路５へ供給することができる。
【００５６】
なおチューナ４は、アンテナスイッチ２から供給されたＣＡＴＶ放送信号Ｓ１２がチューナ入力端子４Ａを介して入力された場合、地上波テレビジョン放送信号Ｓ２がチューナ入力端子４Ａを介して入力された場合と同様の処理を行うため、ここでは便宜上説明を省略する。
【００５７】
（１−３）低ノイズＡＧＣアンプの回路構成
次に、低ノイズＡＧＣアンプ２１について説明する。
【００５８】
図５に示すように、低ノイズＡＧＣアンプ２１は、抵抗Ｒ１及びＲ２と、デュアルゲート電界効果トランジスタ（以下、これをデュアルゲートＦＥＴ（Field Effect Transistor）と呼ぶ。）５０とにより構成されている。
【００５９】
低ノイズＡＧＣアンプ２１では、ＡＧＣ制御信号ＧＳ１が供給される入力端子２１Ａが、抵抗Ｒ１を介してデュアルゲートＦＥＴ５０のゲートＧ１と接続されている。地上波テレビジョン放送信号入力端子２Ａは、デュアルゲートＦＥＴ５０のゲートＧ２と接続されている。電源電圧Ｖｃｃ１が供給される入力端子２１Ｂは、抵抗Ｒ２を介してデュアルゲートＦＥＴ５０のドレインＤと接続されている。信号切替スイッチ２３の入力端子２３Ａは、抵抗Ｒ２とデュアルゲートＦＥＴ５０のドレインＤとの接続点と接続されている。またデュアルゲートＦＥＴ５０のソースＳは、接地されている。
【００６０】
低ノイズＡＧＣアンプ２１では、アンテナ７により受信した地上波テレビジョン放送信号Ｓ１が地上波テレビジョン放送信号入力端子２Ａを介してデュアルゲートＦＥＴ５０のゲートＧ２へ供給され、制御回路６から供給されるＡＧＣ制御信号ＧＳ１が抵抗Ｒ１を介してデュアルゲートＦＥＴ５０のゲートＧ１へ供給されたとき、デュアルゲートＦＥＴ５０がオンする。これによりＡＧＣアンプ２１では、デュアルゲートＦＥＴ５０のドレインＤ側の電圧レベルがＡＧＣ制御信号ＧＳ１及び地上波テレビジョン放送信号Ｓ１に応じて増幅され、その増幅された電圧レベルが地上波テレビジョン放送信号Ｓ２として信号切替スイッチ２３の入力端子２３Ａへ送出される。
【００６１】
このような構成の低ノイズＡＧＣアンプ２１は、地上波テレビジョン放送信号Ｓ１の入力レベルにかかわらず、ほとんどノイズフィギュアを増加させない特性を持っている。
【００６２】
ここでノイズフィギュアとは、入力信号のＳ／Ｎ（Signal / Noise）比と出力信号のＳ／Ｎ比との比率を表している。この低ノイズＡＧＣアンプ２１では、地上波テレビジョン放送信号Ｓ１のＳ／Ｎ比と、地上波テレビジョン放送信号Ｓ２のＳ／Ｎ比との比率をノイズフィギュアとして示している。
【００６３】
図６に示すように、低ノイズＡＧＣアンプ２１は、アンテナ７により受信した地上波テレビジョン放送信号Ｓ１を増幅する際、地上波テレビジョン放送信号Ｓ１の入力レベルにかかわらず、ノイズフィギュアをほとんど増やすことなく地上波テレビジョン放送信号Ｓ１を増幅することができる。
【００６４】
なお低ノイズＡＧＣアンプ２１は、地上波テレビジョン放送信号Ｓ１の入力レベルが高くなるにつれて歪を増加させてしまう。しかし、低ノイズＡＧＣアンプ２１では、地上波テレビジョン放送信号Ｓ１に歪がほとんど含まれていないため、その影響を受けることはほとんどない。
【００６５】
（１−４）低歪アッテネータの回路構成
図７に示すように、低歪アッテネータ２２は、直流阻止コンデンサＣ１及びＣ２と、バイパスコンデンサＣ３及びＣ４と、ＰＩＮダイオードＤ１及びＤ２と、抵抗Ｒ１１〜Ｒ１５とにより構成されており、抵抗Ｒ１１、ＰＩＮダイオードＤ１及び抵抗Ｒ１２によりπ型アッテネータが形成されている。
【００６６】
低歪アッテネータ２２では、ＣＡＴＶケーブル８からＣＡＴＶ放送信号Ｓ１１が入力されるＣＡＴＶ放送信号入力端子２Ｂと、信号切替スイッチ２３の入力端子２３Ｂとが、直流阻止コンデンサＣ１、ＰＩＮダイオードＤ１及び直流阻止コンデンサＣ２を介して接続されている。具体的には、直流阻止コンデンサＣ１が、ＣＡＴＶ放送信号入力端子２ＢとＰＩＮダイオードＤ１のカソードとの間に設けられ、直流阻止コンデンサＣ２が、ＰＩＮダイオードＤ１のアノードと入力端子２３Ｂとの間に設けられている。
【００６７】
ＰＩＮダイオードＤ１のカソードは、抵抗Ｒ１１を介して接地されている。電源電圧Ｖｃｃ２が供給される入力端子２２Ａは、抵抗Ｒ１４、抵抗Ｒ１３及びＰＩＮダイオードＤ２を介してＰＩＮダイオードＤ１のカソードに接続されている。具体的には、ＰＩＮダイオードＤ１のカソードとＰＩＮダイオードＤ２のカソードとが接続され、抵抗Ｒ１３と抵抗１４との間の接続点に抵抗Ｒ１５が接続されている。
【００６８】
また抵抗Ｒ１３と抵抗Ｒ１４との間の接続点には、バイパスコンデンサＣ３が抵抗Ｒ１５と並列に接続され、バイパスコンデンサＣ３及び抵抗Ｒ１５が接地されている。ＡＧＣ制御信号ＧＳ２が供給される入力端子２２Ｂは、抵抗Ｒ１２を介してＰＩＮダイオードＤ１のアノードに接続されている。入力端子２２Ｂと抵抗Ｒ１２との接続点には、バイパスコンデンサＣ４が接続され、そのバイパスコンデンサＣ４が接地されている。
【００６９】
電源電圧Ｖｃｃ２は、抵抗Ｒ１４及びＲ１５により分圧され、その分圧された電圧が抵抗Ｒ１３及びＰＩＮダイオードＤ２を介して直流阻止コンデンサＣ１とＰＩＮダイオードＤ１のカソードとの接続点に印加する。
【００７０】
またＡＧＣ制御信号ＧＳ２は、抵抗Ｒ１２を介してＰＩＮダイオードＤ１のアノードと直流阻止コンデンサＣ２の接続点に印加する。
【００７１】
ＰＩＮダイオードＤ１は、流れる電流の大きさによって抵抗値が変化する。従って、低歪アッテネータ２２は、制御回路６から供給されるＡＧＣ制御信号ＧＳ２に応じて、ＰＩＮダイオードＤ１のアノードとカソードとの電圧差を制御することにより、当該ＰＩＮダイオードＤ１に流れる電流の大きさを変化させ、その抵抗値を制御するようになされている。
【００７２】
これにより低歪アッテネータ２２は、制御回路６から供給されるＡＧＣ制御信号ＧＳ２に応じて、ＣＡＴＶ放送信号入力端子２Ｂを介して入力されたＣＡＴＶ放送信号Ｓ１１を一定の出力レベルに減衰し、その減衰したＣＡＴＶ放送信号Ｓ１２を信号切替スイッチ２３Ｂへ送出することができる。
【００７３】
このような構成の低歪アッテネータ２２は、ＣＡＴＶ放送信号Ｓ１１の入力レベルにかかわらず、そのＣＡＴＶ放送信号Ｓ１１を減衰して得たＣＡＴＶ放送信号Ｓ１２の歪をほとんど増加させない特性を持っている。
【００７４】
図８に示すように、低歪アッテネータ２２は、ＣＡＴＶケーブル８を介して入力されたＣＡＴＶ放送信号Ｓ１１を減衰する際、ＣＡＴＶ放送信号Ｓ１１の入力レベルにかかわらず、ほとんど歪を増加させることなく当該ＣＡＴＶ放送信号Ｓ１１を減衰することができる。
【００７５】
なお低歪アッテネータ２２は、ＣＡＴＶ放送信号Ｓ１１の入力レベルが高くなるにつれてノイズフィギュアを増加させてしまう。しかし、低歪アッテネータ２２では、ＣＡＴＶ放送信号Ｓ１１の入力レベルが高いため、その影響を受けることはほとんどない。
【００７６】
（２）動作及び効果
以上の構成において、アンテナスイッチ２では、入力端子として地上波テレビジョン放送信号Ｓ１が入力される地上波テレビジョン放送信号入力端子２Ａと、ＣＡＴＶ放送信号Ｓ１１が入力されるＣＡＴＶ放送信号入力端子２Ｂとが設けられ、出力端子としてアンテナスイッチ出力端子２Ｃが設けられるようにした。
【００７７】
またアンテナスイッチ２では、地上波テレビジョン放送信号入力端子２Ａ及びアンテナスイッチ出力端子２Ｃの接続と、ＣＡＴＶ放送信号入力端子２Ｂ及びアンテナスイッチ出力端子２Ｃの接続とを切り替える信号切替スイッチ２３が設けられるようにした。
【００７８】
さらにアンテナスイッチ２は、地上波テレビジョン放送信号入力端子２Ａと信号切替スイッチ２３との間に低ノイズＡＧＣアンプ２１が設けられ、ＣＡＴＶ放送信号入力端子２Ｂと信号切替スイッチ２３との間に低歪アッテネータ２２が設けられるようにした。
【００７９】
これによりアンテナスイッチ２では、アンテナ７を介して受信した地上波テレビジョン信号Ｓ１を低ノイズＡＧＣアンプ２１により増幅し、その増幅した地上波テレビジョン放送信号Ｓ２をアンテナスイッチ出力端子２Ｃを介してチューナ４へ供給することができる。この際、アンテナスイッチ２は、地上波テレビジョン放送信号Ｓ１を低ノイズＡＧＣアンプ２１によって増幅することにより、ノイズの少ない地上波テレビジョン放送信号Ｓ２をチューナ４へ供給することができる。
【００８０】
またアンテナスイッチ２では、ＣＡＴＶケーブル８を介して受信したＣＡＴＶ放送信号Ｓ１１を低歪アッテネータ２２により減衰し、その減衰したＣＡＴＶ放送信号Ｓ１２をアンテナスイッチ出力端子２Ｃを介してチューナ４へ供給することができる。この際、アンテナスイッチ２は、ＣＡＴＶ放送信号Ｓ１１を低歪アッテネータ２２によって減衰することにより、歪の少ないＣＡＴＶ放送信号Ｓ１２をチューナ４へ供給することができる。
【００８１】
さらにアンテナスイッチ２は、ユーザに対して、リモコン操作により地上波テレビジョン放送又はＣＡＴＶ放送を選択させる簡易な操作を行わせるだけで、制御回路６を介して放送選択信号ＳＳ１又はＳＳ２を受信すると、その受信した放送選択信号ＳＳ１又はＳＳ２に対応する地上波テレビジョン放送信号Ｓ２又はＣＡＴＶ放送信号Ｓ１２を、信号切替スイッチ２３を介してチューナ入力端子４Ａからチューナ４へ供給することができる。
【００８２】
以上の構成によれば、アンテナスイッチ２は、放送選択信号ＳＳ１が供給された場合、低ノイズの地上波テレビジョン放送信号Ｓ２をチューナ４へ供給でき、放送選択信号ＳＳ２が供給された場合、低歪のＣＡＴＶ放送信号Ｓ１２をチューナ４へ供給できるので、ユーザに対して地上波テレビジョン放送、又はＣＡＴＶ放送のいずれをリモコンを介して選択させるだけで、煩雑な切り替え操作を行わせることなく、低ノイズの地上波テレビジョン放送信号Ｓ２、又は低歪のＣＡＴＶ放送信号Ｓ１２をチューナ４へ供給することができ、かくして切り替え操作の不要で、使い勝手を向上することができる。
【００８３】
（３）他の実施の形態
なお上述した実施の形態においては、地上波テレビジョン放送信号入力端子２Ａと信号切替スイッチ２３との間に低ノイズＡＧＣアンプ２１と、ＣＡＴＶ放送信号入力端子２Ｂと信号切替スイッチ２３との間に低歪アッテネータ２２とが設けられるようにした場合について述べたが、本発明はこれに限らず、図２との対応部分に同一符号を付した図９に示すように、アンテナスイッチ１００は、チューナ４に予め低歪アッテネータが搭載されている場合、地上波テレビジョン放送信号入力端子２Ａと信号切替スイッチ２３との間にだけ低ノイズＡＧＣアンプ２１が設けられるようにしても良い。
【００８４】
また上述した実施の形態においては、地上波テレビジョン放送信号入力端子２Ａと信号切替スイッチ２３との間に低ノイズＡＧＣアンプ２１と、ＣＡＴＶ放送信号入力端子２Ｂと信号切替スイッチ２３との間に低歪アッテネータ２２とが設けられるようにした場合について述べたが、本発明はこれに限らず、図２との対応部分に同一符号を付した図１０に示すように、アンテナスイッチ２００は、チューナ４に予め低ノイズＡＧＣアンプが搭載されている場合、ＣＡＴＶ放送信号入力端子２Ｂと信号切替スイッチ２３との間にだけ低歪アッテネータ２２が設けられるようにしても良い。
【００８５】
さらに上述した実施の形態においては、制御回路６から供給されるＡＧＣ制御信号ＧＳ１に応じて低ノイズＡＧＣアンプ２１により地上波テレビジョン放送信号Ｓ１を増幅するようにした場合について述べたが、本発明はこれに限らず、一定の増幅を行うアンプにより地上波テレビジョン放送信号Ｓ１を増幅するようにしても良いし、制御回路６による制御に基づいて、複数の利得を切り替えるアンプにより地上波テレビジョン放送信号Ｓ１を増幅するようにしても良い。
【００８６】
さらに上述した実施の形態においては、制御回路６から供給されるＡＧＣ制御信号ＧＳ２に応じて低歪アッテネータ２２によりＣＡＴＶ放送信号Ｓ１１を減衰するようにした場合について述べたが、本発明はこれに限らず、一定の減衰を行うアッテネータによりＣＡＴＶ放送信号Ｓ１１を減衰するようにしても良いし、制御回路６による制御に基づいて、複数の利得を切り替えるアッテネータによりＣＡＴＶ放送信号Ｓ１１を減衰するようにしても良い。
【００８７】
さらに上述した実施の形態においては、第１の入力端子として地上波テレビジョン放送信号入力端子２Ａ、第２の入力端子としてＣＡＴＶ放送信号入力端子２Ｂ、出力端子としてアンテナスイッチ出力端子２Ｃ、信号切替スイッチとして信号切替スイッチ２３、増幅器として低ノイズＡＧＣアンプ２１、減衰器として低歪アッテネータ２２、テレビジョンチューナとしてのチューナ４、制御部としての制御回路６、復調部としての復調回路５によって本発明のアンテナスイッチ及びチューナ装置を構成するようにした場合について述べたが、本発明はこれに限らず、この他種々の構成でなる第１の入力端子、第２の入力端子、出力端子、信号切替スイッチ、増幅器、減衰器、テレビジョンチューナ、制御部、復調部によってアンテナスイッチ及びチューナ装置を構成するようにしても良い。
【産業上の利用可能性】
【００８８】
本発明のアンテナスイッチ及びチューナ装置は、例えばテレビジョン受像機のチューナへ供給するアンテナスイッチ以外にも、ビデオテープレコーダ、ＤＶＤ（Digital Versatile Disc）レコード等のチューナへ供給するアンテナスイッチに適用することができる。
【図面の簡単な説明】
【００８９】
【図１】チューナ装置の全体構成を示す略線図である。
【図２】チューナ装置の回路構成を示す略線図である。
【図３】低ノイズＡＧＣアンプを接続する様子を示す略線図である。
【図４】低歪アッテネータアンプを接続する様子を示す略線図である。
【図５】低ノイズＡＧＣアンプの回路構成を示す略線図である。
【図６】低ノイズＡＧＣアンプにおける信号増幅後のノイズフィギュア及び歪を示す略線図である。
【図７】低歪アッテネータの回路構成を示す略線図である。
【図８】低歪アッテネータにおける信号減衰後のノイズフィギュア及び歪を示す略線図である。
【図９】他の実施形態におけるアンテナスイッチ（１）を示す略線図である。
【図１０】他の実施形態におけるアンテナスイッチ（２）を示す略線図である。
【符号の説明】
【００９０】
１……チューナ装置、２……アンテナスイッチ、２Ａ……地上波テレビジョン信号入力端子、２Ｂ……ＣＡＴＶ信号入力端子２Ｂ、２Ｃ……アンテナスイッチ出力端子、３……テレビジョン放送信号受信装置、４……チューナ、４Ａ……チューナ入力端子、５……復調回路、６……制御回路、２１……低ノイズＡＧＣアンプ、２２……低歪アッテネータ、２３……アンテナ切替スイッチ、４１……バンドスイッチ、４２Ａ、４２Ｂ、４２Ｃ……トラッキングフィルタ、４３Ａ、４３Ｂ、４３Ｃ……ＡＧＣアンプ、４４……ミキサ、４５……局部発信器、４６……ＰＬＬ回路、４７……ＩＦフィルタ、４８……ＩＦアンプ。
【図１】
0004529092.tif 000002
【図２】
0004529092.tif 000003
【図３】
0004529092.tif 000004
【図４】
0004529092.tif 000005
【図５】
0004529092.tif 000006
【図６】
0004529092.tif 000007
【図７】
0004529092.tif 000008
【図８】
0004529092.tif 000009
【図９】
0004529092.tif 000010
【図１０】
0004529092.tif 000011